(57)【要約】【課題】軽量でクラックが入りにくいコンクリート系の外壁構造を提供する。【解決手段】波形鋼板１を型枠にしてコンクリート２が打設された波形鋼板１とコンクリート部２との合成版６が、波形鋼板１の山谷を上下方向に延ばし、コンクリート部２を屋外側、波形鋼板１を屋内側とするようにして備えられている。波形鋼板１は、上下方向に延びるリブ３…と平板部４…とを左右方向に交互に繰り返す波形鋼板からなり、リブ３…がコンクリート部２に埋込み状態にされているとよい。また、波形鋼板１の屋内側に面する谷部４が奥拡がりの谷部からなり、合成版６を胴縁９等に取り付ける金物７が、奥拡がり谷部５内に突出し抜止め状態に係合することで合成版６に連結されているとよい。【選択図】      図１
2006200276.tif 000002
【特許請求の範囲】
【請求項１】
波形鋼板を型枠にしてコンクリートが打設された波形鋼板とコンクリート部との合成版が、波形鋼板の山谷を上下方向に延ばし、コンクリート部を屋外側、波形鋼板を屋内側とするようにして備えられていることを特徴とするコンクリート系の外壁構造。
【請求項２】
前記波形鋼板が、上下方向に延びるリブと平板部とを左右方向に交互に繰り返す波形鋼板からなり、リブがコンクリート部に埋込み状態にされている請求項１に記載のコンクリート系の外壁構造。
【請求項３】
前記波形鋼板の屋内側に面する谷部が奥拡がりの谷部からなり、
前記合成版を胴縁等の下地材に取り付ける金物が、前記波形鋼板の奥拡がり谷部内に突出し抜止め状態に係合することで合成版に連結されている請求項１又は２に記載のコンクリート系の外壁構造。
【発明の詳細な説明】
【技術分野】
【０００１】
本発明は、コンクリート系の外壁構造に関する。
【背景技術】
【０００２】
コンクリート系の外壁は、耐火性、耐久性に優れ、また、重厚感のあるデザインを実現することができるという利点を有する一方で、重い、クラックが入りやすいという欠点を有する。
【発明の開示】
【発明が解決しようとする課題】
【０００３】
本発明は、上記のような問題点に鑑み、軽量で、クラックが入りにくい、コンクリート系の外壁構造を提供することを課題とする。
【課題を解決するための手段】
【０００４】
上記の課題は、波形鋼板を型枠にしてコンクリートが打設された波形鋼板とコンクリート部との合成版が、波形鋼板の山谷を上下方向に延ばし、コンクリート部を屋外側、波形鋼板を屋内側とするようにして備えられていることを特徴とするコンクリート系の外壁構造によって解決される。
【０００５】
この構造では、コンクリート部が波形鋼板と組み合わされて合成版を構成しているので、コンクリート部に波形鋼板による補強作用が及ぼされ、そのため、コンクリート部の肉厚寸法を小さくして軽量化を図ることができ、しかも、波形鋼板がコンクリート部にクラックが入るのを阻止するように働き、こうして、軽量でクラックの入りにくいコンクリート系の外壁構造を実現することができる。
【０００６】
上記の構造において、前記波形鋼板が、上下方向に延びるリブと平板部とを左右方向に交互に繰り返す波形鋼板からなり、リブがコンクリート部に埋込み状態にされているとよい。
【０００７】
この場合は、リブによるコンクリート部の補強作用と、リブ間の平板部の面剛性とによって、コンクリート部にクラックが入るのを効果的に阻止することができる。
【０００８】
また、波形鋼板の屋内側に面する谷部が奥拡がりの谷部からなり、
合成版を胴縁等の下地材に取り付ける金物が、波形鋼板の奥拡がり谷部内に突出し抜止め状態に係合することで合成版に連結されているとよい。
【０００９】
この場合は、波形鋼板の屋内側に面する谷部が奥拡がりの谷部からなることによって、波形鋼板の屋外側に面する山部の基端側が細くなり、波形鋼板とコンクリート部とを山部とコンクリート部との係合で一体化することができると共に、合成版を下地材に取り付ける金物を、波形鋼板の屋内側に面する奥拡がりの谷部を利用することによってコンクリート部の背面側に容易に取り付けることができ、下地材に対する合成版の取付けを施工容易にすることができる。
【発明の効果】
【００１０】
本発明は、以上のとおりのものであるから、軽量で、クラックの入りにくいコンクリート系の外壁構造を実現することができる。
【発明を実施するための最良の形態】
【００１１】
次に、本発明の実施最良形態を図面に基づいて説明する。
【００１２】
図１及び図２に示す実施形態のコンクリート系外壁構造において、１は波形鋼板、２はコンクリート部である。波形鋼板１は、上下方向に延びるリブ３…と平板部４…とを左右方向に交互に繰り返す態様の、上下方向に延びる山谷を備えたものからなっていて、各リブ３…内の空隙５…は奥拡がり状に形成されると共に、各リブ３は基端側が細くされていて、波形鋼板１とコンクリート部２とは、波形鋼板１を型枠にしてコンクリート２がリブ３…を埋込み状態にするように打設されて一体化され、波形鋼板１とコンクリート部２との合成版６を形成している。
【００１３】
そして、この合成版６は、波形鋼板１のリブ３内の奥拡がり状をした空隙５内に突出し抜止め状態に係合されて合成版６と連結された取付け金物７に対し、ビス８を打つことにより、取付け下地材としての胴縁９に対して取り付けられ、コンクリート部２を屋外側、波形鋼板１を屋内側に向けるようにして建物に備えられる。なお、取付け金物７は、ビス８を打つことにより、奥拡がり状をした空隙５内で拡開して合成版６に連結されていてもよいし、ビス８を打つ前の状態において既に空隙５内で拡開して合成版６に連結されていてもよい。
【００１４】
上記のコンクリート系外壁構造では、コンクリート部２が波形鋼板１と組み合わされて合成版６を構成しているので、コンクリート部２が波形鋼板１で補強され、コンクリート部２の肉厚寸法を小さくすることができて軽量化を図ることができ、しかも、コンクリート部２にクラックが入るのを波形鋼板１が阻止するように働き、軽量でクラックの入りにくいコンクリート系の外壁構造を実現することができる。
【００１５】
特に、本実施形態では、波形鋼板１が、上下方向に延びるリブ３…と平板部４…とを左右方向に交互に繰り返す態様のものからなり、リブ３…がコンクリート２中に埋込み状態にされているので、リブ３…によるコンクリート部２の補強作用と、リブ３…間の平板部４…の面剛性によって、コンクリート部２にクラックが入るのを効果的に阻止することができる。
【００１６】
また、波形鋼板１のリブ３…内の空隙５…が奥拡がり状に形成されているので、合成版６を胴縁９に取り付ける金物７を、リブ３…内の奥拡がり状の空隙５…を利用して抜止め状態に容易に連結することができ、合成版６を胴縁９に施工容易に取り付けることができる。
【００１７】
以上に、本発明の実施形態を示したが、本発明はこれに限られるものではなく、発明思想を逸脱しない範囲で各種の変更が可能である。例えば、上記の実施形態では、波形鋼板１が、リブ３と平板部４とを交互に繰り返す波形鋼板からなる場合を示したが、山谷を繰り返す各種形態の波形鋼板が用いられてよい。また、本発明では、合成版６は、建物に直接取り付けられて外壁を構成するものであってもよいし、パネルフレームに取り付けられて外壁パネルを構成するものであってもよい。
【図面の簡単な説明】
【００１８】
【図１】実施形態を示すもので、図（イ）は波形鋼板の断面平面図、図（ロ）は合成版の断面平面図、図（ハ）は合成版の断面斜視図、図（ニ）は胴縁に対する合成版の取付け方法を示す断面平面図である。
【図２】同合成版の取付け状態を示すもので、図（イ）は断面平面図、図（ロ）は背面図、図（ハ）は断面側面図である。
【符号の説明】
【００１９】
１…波形鋼板
２…コンクリート部
３…リブ
４…平板部
５…空隙（奥拡がり状の谷部）
６…合成版
７…取付け金物
９…胴縁（取付け下地材）
【図１】
2006200276.tif 000003
【図２】
2006200276.tif 000004